(57)【要約】【課題】ＨＤＭＩ機器接続確認中にユーザがＣＥＣ機能を働かせる操作を行った場合でも、接続確認完了後にＣＥＣ機能を動作させるために再度同じ操作を行う必要がなく、利便性が向上する電子機器を提供する。【解決手段】ＣＥＣ機能を有するＨＤＭＩ機器とＨＤＭＩケーブルにより接続され、ＨＤＭＩ機器接続確認を行う電子機器であって、ＨＤＭＩ機器接続確認中にＣＥＣ機能を働かせる操作がされたことを検出すると、その操作に対応するＣＥＣ通信コマンドを記憶部に記憶させ、ＨＤＭＩ機器接続確認が完了すると、前記記憶部に記憶されたＣＥＣ通信コマンドを前記ＨＤＭＩ機器に送信する制御部を備えた電子機器とする。【選択図】図１
2010193121.tif 000002
【特許請求の範囲】
【請求項１】
ＣＥＣ機能を有するＨＤＭＩ機器とＨＤＭＩケーブルにより接続され、ＨＤＭＩ機器接続確認を行う電子機器であって、
ＨＤＭＩ機器接続確認中にＣＥＣ機能を働かせる操作がされたことを検出すると、その操作に対応するＣＥＣ通信コマンドを記憶部に記憶させ、ＨＤＭＩ機器接続確認が完了すると、前記記憶部に記憶されたＣＥＣ通信コマンドを前記ＨＤＭＩ機器に送信する制御部を備えたことを特徴とする電子機器。
【請求項２】
前記制御部が前記記憶部にＣＥＣ通信コマンドを記憶させる際に、ＨＤＭＩ接続完了後にＣＥＣ機能を働かせる旨を報知する報知部を備えたことを特徴とする請求項１に記載の電子機器。
【請求項３】
前記制御部は、ＨＤＭＩ機器接続確認中にＣＥＣ機能を働かせる操作がされたことを複数回検出すると、ＨＤＭＩ機器接続確認の完了後、その操作のうち最後の操作に対応するＣＥＣ通信コマンドを前記ＨＤＭＩ機器に送信することを特徴とする請求項１または請求項２に記載の電子機器。
【請求項４】
前記制御部は、ＨＤＭＩ機器接続確認中にＣＥＣ機能を働かせる操作がされたことを複数回検出すると、ＨＤＭＩ機器接続確認の完了後、その操作のうち最初の操作に対応するＣＥＣ通信コマンドを前記ＨＤＭＩ機器に送信することを特徴とする請求項１または請求項２に記載の電子機器。
【請求項５】
前記制御部は、ＨＤＭＩ機器接続確認中にＣＥＣ機能を働かせる操作がされたことを複数回検出すると、ＨＤＭＩ機器接続確認の完了後、その操作に対応するＣＥＣ通信コマンドを順次前記ＨＤＭＩ機器に送信することを特徴とする請求項１または請求項２に記載の電子機器。
【発明の詳細な説明】
【技術分野】
【０００１】
本発明は、ＣＥＣ（Consumer Electronics Control）機能を有する電子機器に関する。
【背景技術】
【０００２】
近年、ビデオ入力端子、放送用チューナ等に加え、ＨＤＭＩ（High-Definition Multimedia Interface）入力端子を有するテレビ受信機が増加している（ＨＤＭＩ端子を有するテレビ受信機に関しては例えば、特許文献１、２を参照）。ＨＤＭＩインタフェースは、デジタルＡＶ機器向けのデジタルインタフェースであり、映像や音声のデータを１本のケーブルで高速転送が可能である。また、テレビ受信機だけでなくＤＶＤレコーダ等のデジタルＡＶ機器においてもＨＤＭＩインタフェースを搭載することが一般的になりつつある。
【０００３】
一方、ＨＤＭＩ規格には、ＡＶ出力の規格と共に、ＨＤＭＩ接続された機器双方の制御を可能とするＣＥＣ（Consumer Electronics Control）機能が規定されている。ＣＥＣ機能に対応する機器も既に多数発売されている。ＣＥＣ機能では、ＨＤＭＩ接続された機器間で双方向のコマンド通信が可能なため、１対１および１対複数の機器制御が可能である。
【０００４】
ＣＥＣ機能には色々な機能が規定されている。例えば、Ｏｎｅ  Ｔｏｕｃｈ  Ｐｌａｙ機能は、ＤＶＤレコーダ等のＰｌａｙボタンを押すと、テレビ受信機が自動で起動し、ＤＶＤレコーダ等の接続されているＨＤＭＩ入力を選択するという動作を行う機能である。規格書には他にも数多くの機能が定義されているが、どの機能を製品で実現するかはメーカーに委ねられる。
【先行技術文献】
【特許文献】
【０００５】
【特許文献１】特開２００８−６７０２５号公報
【特許文献２】特開２００７−１６６４７６号公報
【発明の概要】
【発明が解決しようとする課題】
【０００６】
ところで、従来のＣＥＣ機能に対応したテレビ受信機においては、電源起動後の約数〜十数秒間、ＨＤＭＩ機器の接続確認を行うのが一般的である。そして、ＨＤＭＩ機器の接続確認中にユーザがリモコン送信機等でＣＥＣ機能を働かせるキー操作を行った場合、その操作は無効となり、無効を示すメッセージが表示されることが多かった。従って、接続確認が終了しメッセージが消えた後、ユーザは再度同じキー操作を行ってＣＥＣ機能を働かせる必要があるという問題があった。
【０００７】
上記問題点を鑑み、本発明は、ＨＤＭＩ機器接続確認中にユーザがＣＥＣ機能を働かせる操作を行った場合でも、接続確認完了後にＣＥＣ機能を動作させるために再度同じ操作を行う必要がなく、利便性が向上する電子機器を提供することを目的とする。
【課題を解決するための手段】
【０００８】
上記目的を達成するために本発明の電子機器は、ＣＥＣ機能を有するＨＤＭＩ機器とＨＤＭＩケーブルにより接続され、ＨＤＭＩ機器接続確認を行う電子機器であって、
ＨＤＭＩ機器接続確認中にＣＥＣ機能を働かせる操作がされたことを検出すると、その操作に対応するＣＥＣ通信コマンドを記憶部に記憶させ、ＨＤＭＩ機器接続確認が完了すると、前記記憶部に記憶されたＣＥＣ通信コマンドを前記ＨＤＭＩ機器に送信する制御部を備えた構成とした。
【０００９】
このような構成によれば、ＨＤＭＩ機器接続確認中にユーザがＣＥＣ機能を働かせる操作を行った場合、その操作に対応するＣＥＣ通信コマンドが記憶部に記憶され、ＨＤＭＩ機器接続確認完了後に記憶されたＣＥＣ通信コマンドがＨＤＭＩ機器に送信されＣＥＣ機能が動作するので、接続確認完了後にＣＥＣ機能を動作させるために再度同じ操作を行う必要がなく、利便性が向上する。
【００１０】
また、本発明の電子機器は、上記構成において、前記制御部が前記記憶部にＣＥＣ通信コマンドを記憶させる際に、ＨＤＭＩ接続完了後にＣＥＣ機能を働かせる旨を報知する報知部を備えるようにしてもよい。
【００１１】
このような構成によれば、報知部の報知によりユーザはＣＥＣ機能の動作待ちであることを知ることができる。
【００１２】
また、本発明の電子機器は、上記各構成において、前記制御部は、ＨＤＭＩ機器接続確認中にＣＥＣ機能を働かせる操作がされたことを複数回検出すると、ＨＤＭＩ機器接続確認の完了後、その操作のうち最後の操作に対応するＣＥＣ通信コマンドを前記ＨＤＭＩ機器に送信するようにしてもよい。
【００１３】
このような構成によれば、ＨＤＭＩ機器接続確認中にユーザがＣＥＣ機能を働かせる操作を複数回行い、最後の操作が所望する操作であった場合に、ＨＤＭＩ機器接続確認の完了後、ユーザの所望するＣＥＣ機能を動作させることができる。
【００１４】
また、本発明の電子機器は、上記各構成において、前記制御部は、ＨＤＭＩ機器接続確認中にＣＥＣ機能を働かせる操作がされたことを複数回検出すると、ＨＤＭＩ機器接続確認の完了後、その操作のうち最初の操作に対応するＣＥＣ通信コマンドを前記ＨＤＭＩ機器に送信するようにしてもよい。
【００１５】
このような構成によれば、ＨＤＭＩ機器接続確認中にユーザがＣＥＣ機能を働かせる操作を行い、その後、ＨＤＭＩ機器接続確認中に誤ってＣＥＣ機能を働かせる操作を行ったような場合でも、ＨＤＭＩ機器接続確認の完了後、ユーザの所望するＣＥＣ機能を動作させることができる。
【００１６】
また、本発明の電子機器は、上記各構成において、前記制御部は、ＨＤＭＩ機器接続確認中にＣＥＣ機能を働かせる操作がされたことを複数回検出すると、ＨＤＭＩ機器接続確認の完了後、その操作に対応するＣＥＣ通信コマンドを順次前記ＨＤＭＩ機器に送信するようにしてもよい。
【００１７】
このような構成によれば、ＨＤＭＩ機器接続確認中にユーザが所望するＣＥＣ機能を働かせる操作を複数回行ったような場合に、ＨＤＭＩ機器接続確認の完了後、ユーザが所望するＣＥＣ機能を順次動作させることができる。
【発明の効果】
【００１８】
本発明の電子機器によれば、ＨＤＭＩ機器接続確認中にユーザがＣＥＣ機能を働かせる操作を行った場合でも、接続確認完了後にＣＥＣ機能を動作させるために再度同じ操作を行う必要がなく、利便性が向上する。
【図面の簡単な説明】
【００１９】
【図１】本発明に係るテレビ受信機とビデオカメラとをＨＤＭＩ接続した状態を示す図である。
【図２】本発明に係るテレビ受信機の概略構成図である。
【図３】ビデオカメラの概略構成図である。
【図４】ＨＤＭＩ機器接続確認の際のＣＥＣ通信コマンド送信制御の第１実施形態に関するフローチャートである。
【図５】ＨＤＭＩ機器接続確認の際のＣＥＣ通信コマンド送信制御の第２実施形態に関するフローチャートである。
【図６】ＨＤＭＩ機器接続確認の際のＣＥＣ通信コマンド送信制御の第３実施形態に関するフローチャートである。
【発明を実施するための形態】
【００２０】
以下、本発明の実施形態について図面を参照して説明する。
【００２１】
図１に、本発明に係る電子機器の一例であるテレビ受信機１００と、ＨＤＭＩ機器の一例であるビデオカメラ２００とをＨＤＭＩ接続した状態を示す。ビデオカメラ２００は、電源クレードル４００と、電源クレードル４００に載置されるビデオカメラ本体３００とからなる。電源クレードル４００は、スタンド４００ａ、ＡＣアダプタ４００ｂ、ＡＣプラグ４００ｃを備え、スタンド４００ａにビデオカメラ本体３００が載置され、ＡＣプラグ４００ｃを商用電源用コンセントに挿入するとビデオカメラ本体３００を充電することができる。そして、テレビ受信機１００のＨＤＭＩ端子と電源クレードル４００のＨＤＭＩ出力端子とがＨＤＭＩケーブル５００で接続される。
【００２２】
図２に、テレビ受信機１００の概略構成図を示す。テレビ受信機１００は、チューナ２と、ＭＰＥＧデコーダ３と、映像処理回路４と、スケーラ５と、ディスプレイ６と、ビデオ入力端子７と、ＨＤＭＩ端子８と、ＨＤＭＩレシーバ９と、リモコン受信部１０と、サブマイコン１１と、メインＣＰＵ１２と、ＲＡＭ１３と、ＯＳＤ（On Screen Display）部１４とを備えている。
【００２３】
アンテナ１は、屋外において配置されており、デジタル放送波を受信し、高周波デジタル変調信号をチューナ２に出力する。
【００２４】
チューナ２は、高周波デジタル変調信号から選局周波数の信号を取り出す。また、チューナ２は、選択されたデジタル変調信号を復調してトランスポートストリームを取り出し、トランスポートストリームからビデオストリームを分離し、ビデオストリームをＭＰＥＧデコーダ３に出力する。
【００２５】
ＭＰＥＧデコーダ３はビデオストリームに対してデコードを行い、デコード後の映像信号を映像処理回路４に出力する。
【００２６】
ビデオ入力端子７は、例えば、Ｓ端子やＤ端子であり、外部機器からビデオケーブルを介してビデオ入力端子７に入力された映像信号は映像処理回路４へ出力される。
【００２７】
ＨＤＭＩ端子８にはＨＤＭＩケーブルを接続可能である。外部機器からＨＤＭＩケーブルを介してＨＤＭＩ端子８に入力されたＴＭＤＳ（Transition Minimized Differential Signaling）方式の伝送信号は、ＨＤＭＩレシーバ９により受信される。ＨＤＭＩレシーバ９は、受信した伝送信号を映像信号および音声信号に分離し、映像信号にデコード処理を行い映像処理回路４に出力する。
【００２８】
映像処理回路４は、ＭＰＥＧデコーダ３、ビデオ入力端子７、ＨＤＭＩレシーバ９から入力される映像信号に対してデジタル映像処理を行う。スケーラ５は、映像処理回路４から入力される映像の種類に応じた拡大縮小処理を行う。そして、ディスプレイ６は、スケーラ５から入力される映像信号に基づき映像を表示する。
【００２９】
また、ＯＳＤ部１４は、メインＣＰＵ１２の制御により文字や図形の映像信号を生成しディスプレイ６に出力する。これにより、ディスプレイ６に、メッセージやメニューが表示可能である。
【００３０】
リモコン受信部１０は、不図示のリモコン送信機からリモコン信号を受信し、これをコマンド信号に変換してサブマイコン１１に与える。
【００３１】
サブマイコン１１は、電源のオンオフ制御等を行う。メインＣＰＵ１２は、各部を制御し、サブマイコン１１とは相互に通信ができる仕様となっている。また、ＲＡＭ１３は、後述するようにＣＥＣ通信コマンドを格納するキューバッファ等として用いられる。
【００３２】
また、図３に、ビデオカメラ２００の概略構成図を示す。ビデオカメラ２００は、ビデオカメラ本体３００と電源クレードル４００とから構成される。
【００３３】
ビデオカメラ本体３００は、ディスプレイ１４と、ディスプレイドライバ１５と、ビデオドライバ１６と、ＨＤＭＩドライバ１７と、カメラ機能部１８と、圧縮伸長部１９と、記録メディア２０と、メインＣＰＵ２１と、リモコン受信部２２とを備えている。また、電源クレードル４００は、ビデオ出力端子２３と、ＨＤＭＩ出力端子２４と、サブＣＰＵ２５とを備えている。
【００３４】
カメラ機能部１８は、レンズ、ＣＣＤ、ＣＤＳ／ＡＧＣ回路、ＡＤＣ回路、カメラ信号処理回路（いずれも不図示）から構成され、レンズを通して入射した光学像をデジタル映像信号に変換して出力する。カメラ機能部１８から出力されたデジタル映像信号は、ディスプレイドライバ１５を介してディスプレイ１４に出力可能である。また、カメラ機能部１８から出力されたデジタル映像信号は、ビデオドライバ１６、ビデオ出力端子２３およびビデオケーブル（不図示）を介してビデオ入力端子を有する外部機器に出力可能である。さらに、カメラ機能部１８から出力されたデジタル映像信号は、ＨＤＭＩドライバ１７、ＨＤＭＩ出力端子２４およびＨＤＭＩケーブル（不図示）を介して外部のＨＤＭＩ機器に出力可能である。
【００３５】
また、撮影映像の記録時、圧縮伸長部１９は、カメラ機能部１８が出力したデジタル映像信号を圧縮符号化し、記録メディア２０に記録させる。また、撮影映像の再生時は、圧縮伸長部１９は、記録メディア２０から読み出した圧縮された映像信号を伸長復号化し、ディスプレイドライバ１５を介してディスプレイ１４に出力する。なお、伸長復号化した映像信号は、ビデオドライバ１６、ビデオ出力端子２３およびビデオケーブル（不図示）を介してビデオ入力端子を有する外部機器にも出力可能であり、ＨＤＭＩドライバ１７、ＨＤＭＩ出力端子２４およびＨＤＭＩケーブル（不図示）を介して外部のＨＤＭＩ機器に出力することも可能である。
【００３６】
リモコン受信部２２は、不図示のリモコン送信機からリモコン信号を受信し、これをコマンド信号に変換してメインＣＰＵ２１に与える。メインＣＰＵ２１は、ビデオカメラ本体３００の各部を制御し、サブＣＰＵ２５と相互に通信が可能である。
【００３７】
サブＣＰＵ２５は、ビデオカメラ本体３００の電源オンオフを制御する。具体的には、サブＣＰＵ２５は、電源クレードル４００が有する不図示の電源ボタンの押し下げを検知すると、メインＣＰＵ２１へ検知を通知し、メインＣＰＵ２１が、ビデオカメラ本体３００の電源をオンオフする。
【００３８】
また、サブＣＰＵ２５は、ＨＤＭＩ出力端子２４を介してＣＥＣ通信コマンドを受信してコマンドを処理したり、ＨＤＭＩ出力端子２４を介してＣＥＣ通信コマンドを外部のＨＤＭＩ機器に送信したりもする。
【００３９】
また、電源クレードル４００が有するＡＣプラグ４００ｃ（図１）を商用電源用コンセントに挿入することで、ＡＣプラグ４００ｃ、ＡＣアダプタ４００ｂ（図１）およびスタンド４００ａ（図１）を介してビデオカメラ本体３００が有するバッテリ（不図示）にＤＣ電源が供給され、バッテリが充電される。また、このとき、サブＣＰＵ２５にもＤＣ電源が供給される。
【００４０】
次に、テレビ受信機１００におけるＨＤＭＩ機器接続確認の際のＣＥＣ通信コマンド送信制御について説明する。
【００４１】
（第１実施形態）
まず、ＨＤＭＩ機器接続確認の際のＣＥＣ通信コマンド送信制御の第１実施形態について、図４のフローチャートを用いて説明する。
【００４２】
テレビ受信機１００のＨＤＭＩ端子８と、ビデオカメラ２００のＨＤＭＩ出力端子２４がＨＤＭＩケーブル５００（図１）で接続された状態で、テレビ受信機１００が有する不図示の電源ボタンが押下げられると、サブマイコン１１に電源が供給され、サブマイコン１１が起動しメインＣＰＵ１２等各部に電源を供給する制御を行い、電源がオンとなる。すると、メインＣＰＵ１２は起動してＨＤＭＩ機器接続確認を開始し、図４のフローチャートも開始される。
【００４３】
まず、ステップＳ４００で、メインＣＰＵ１２は、不図示のリモコン送信機においてＣＥＣ機能を働かせるキーが押し下げられたか否かを判定する。ここで、ＣＥＣ機能とは、例えば、ビデオカメラ２００のメニュー画面表示機能や、そのメニュー画面における項目選択機能や、ビデオカメラ２００に記憶された画像一覧表示機能等々である。
【００４４】
そしてもし、ＣＥＣ機能を働かせるキーが押し下げられたと判定されると（ステップＳ４００のＹ）、ステップＳ４０１に進み、メインＣＰＵ１２は、ＨＤＭＩ機器接続確認中であるか否かを判定する。そして、ＨＤＭＩ機器接続確認中であれば（ステップＳ４０１のＹ）、ステップＳ４０２に進み、メインＣＰＵ１２は、ステップＳ４００の押し下げられたキーに対応するＣＥＣ通信コマンドをキューバッファであるＲＡＭ１３に格納する。それから、ステップＳ４０３で、メインＣＰＵ１２の制御によりＯＳＤ部１４が映像信号を生成してディスプレイ６に出力し、ＨＤＭＩ接続完了後にＣＥＣ機能を働かせる旨のメッセージがディスプレイ６に表示される。そして、ステップＳ４００に戻る。
【００４５】
再度、ステップＳ４００で、ＣＥＣ機能を働かせるキーが押し下げられたと判定され（ステップＳ４００のＹ）、ステップＳ４０１で、ＨＤＭＩ機器接続確認中であれば（ステップＳ４０１のＹ）、ステップＳ４０２で、メインＣＰＵ１２は、ＲＡＭ１３に既に格納されたＣＥＣ通信コマンドを消去して、ステップＳ４００の新たに押し下げられたキーに対応するＣＥＣ通信コマンドをＲＡＭ１３に格納する。以降、ステップＳ４０２に進めば、同様に現状のＣＥＣ通信コマンドを消去しつつ新たなＣＥＣ通信コマンドをＲＡＭ１３に格納する。
【００４６】
また、ステップＳ４００で、ＣＥＣ機能を働かせるキーが押し下げられていないと判定されると（ステップＳ４００のＮ）、ステップＳ４０５に進み、メインＣＰＵ１２は、ＨＤＭＩ機器接続確認中であるか否かを判定する。そして、ＨＤＭＩ機器接続確認中であれば（ステップＳ４０５のＹ）、ステップＳ４００に戻る。
【００４７】
一方、ＨＤＭＩ機器接続確認中でなければ（ステップＳ４０５のＮ）、ステップＳ４０６に進み、メインＣＰＵ１２は、ＲＡＭ１３にＣＥＣ通信コマンドが格納されているか否かを判定する。そしてもし、ＣＥＣ通信コマンドが格納されていれば（ステップＳ４０６のＹ）、ステップＳ４０７に進み、メインＣＰＵ１２は、ＲＡＭ１３に格納されたＣＥＣ通信コマンドを取得する。そして、ステップＳ４０８で、メインＣＰＵ１２は、取得したＣＥＣ通信コマンドをサブマイコン１１、ＨＤＭＩ端子８を介してビデオカメラ２００に送信して、処理終了となる（エンド）。すると、ビデオカメラ２００において、ＨＤＭＩ出力端子２４を介してサブＣＰＵ２５がＣＥＣ通信コマンドを受信しコマンドを処理し、ＣＥＣ機能が動作する。また、ステップＳ４０６で、ＲＡＭ１３にＣＥＣ通信コマンドが格納されていなければ（ステップＳ４０６のＮ）、そのまま処理終了となる（エンド）。
【００４８】
また、ステップＳ４０１で、ＨＤＭＩ機器接続確認中でなければ（ステップＳ４０１のＮ）、ステップＳ４０４に進み、メインＣＰＵ１２は、直前のステップＳ４００の押し下げられたキーに対応するＣＥＣ通信コマンドをサブマイコン１１、ＨＤＭＩ端子８を介してビデオカメラ２００に送信して、処理終了となる（エンド）。
【００４９】
このような第１実施形態によれば、ＨＤＭＩ機器接続確認中にユーザがリモコン送信機においてＣＥＣ機能を働かせるキーを押し下げると、対応するＣＥＣ通信コマンドがＲＡＭ１３に格納され、ＨＤＭＩ機器接続確認が完了すると、格納されたＣＥＣ通信コマンドがステップＳ４０８でビデオカメラ２００に送信されるので、ユーザは従来のようにＣＥＣ機能を働かせるために再度キー操作をする必要がなく、利便性が向上する。また、ステップＳ４０３のメッセージ表示により、ユーザはＣＥＣ機能の動作待ちであることを知ることができる。
【００５０】
また、ＨＤＭＩ機器接続確認中に複数回、ユーザがＣＥＣ機能を働かせるキーを押し下げた場合は、ステップＳ４０２により、最後に押し下げたキーが優先されてＣＥＣ通信コマンドがＲＡＭ１３に格納され、ＨＤＭＩ機器接続確認が完了すると、格納されたＣＥＣ通信コマンドがステップＳ４０８でビデオカメラ２００に送信される。これにより、ユーザが最後にした操作がユーザの所望する操作である場合に、ユーザの所望するＣＥＣ機能を動作させることができる。
【００５１】
また、ＣＥＣ機能を働かせるキーが押し下げられて、ＣＥＣ通信コマンドがＲＡＭ１３に格納された後、ＨＤＭＩ機器接続確認が完了する直前にＣＥＣ機能を働かせるキーが押し下げられた場合は、ＨＤＭＩ機器接続確認が完了すると、ステップＳ４０４で、ＲＡＭ１３に格納されたＣＥＣ通信コマンドではなく、直前のキー操作に対応するＣＥＣ通信コマンドがビデオカメラ２００に送信される。これにより、ＨＤＭＩ機器接続確認が完了する直前のキー操作がユーザの所望する操作である場合に、ユーザの所望するＣＥＣ機能を動作させることができる。
【００５２】
（第２実施形態）
次に、ＨＤＭＩ機器接続確認の際のＣＥＣ通信コマンド送信制御の第２実施形態について、図５のフローチャートを用いて説明する。
【００５３】
第１実施形態と同様にテレビ受信機１００の電源がオンとなると、メインＣＰＵ１２が起動してＨＤＭＩ機器接続確認を開始し、図５のフローチャートも開始される。
【００５４】
まず、ステップＳ５００で、メインＣＰＵ１２は、不図示のリモコン送信機においてＣＥＣ機能を働かせるキーが押し下げられたか否かを判定する。そしてもし、ＣＥＣ機能を働かせるキーが押し下げられたと判定されると（ステップＳ５００のＹ）、ステップＳ５０１に進み、メインＣＰＵ１２は、ＨＤＭＩ機器接続確認中であるか否かを判定する。そして、ＨＤＭＩ機器接続確認中であれば（ステップＳ５０１のＹ）、ステップＳ５０２に進み、メインＣＰＵ１２は、キューバッファであるＲＡＭ１３にＣＥＣ通信コマンドが格納されているか否かを判定する。そして、ＣＥＣ通信コマンドが格納されていなければ（ステップＳ５０２のＮ）、ステップＳ５０３に進み、メインＣＰＵ１２は、ステップＳ５００の押し下げられたキーに対応するＣＥＣ通信コマンドをＲＡＭ１３に格納する。それから、ステップＳ５０４で、メインＣＰＵ１２の制御によりＯＳＤ部１４が映像信号を生成してディスプレイ６に出力し、ＨＤＭＩ接続完了後にＣＥＣ機能を働かせる旨のメッセージがディスプレイ６に表示される。そして、ステップＳ５００に戻る。
【００５５】
また、ステップＳ５０２で、ＲＡＭ１３にＣＥＣ通信コマンドが格納されていれば（ステップＳ５０２のＹ）、ステップＳ５００の押し下げられたキーに対応するＣＥＣ通信コマンドをＲＡＭ１３に格納することはせずに、そのままステップＳ５００に戻る。
【００５６】
また、ステップＳ５００で、ＣＥＣ機能を働かせるキーが押し下げられていないと判定されると（ステップＳ５００のＮ）、ステップＳ５０９に進み、メインＣＰＵ１２は、ＨＤＭＩ機器接続確認中であるか否かを判定する。そして、ＨＤＭＩ機器接続確認中であれば（ステップＳ５０９のＹ）、ステップＳ５００に戻る。
【００５７】
一方、ＨＤＭＩ機器接続確認中でなければ（ステップＳ５０９のＮ）、ステップＳ５１０に進み、メインＣＰＵ１２は、ＲＡＭ１３にＣＥＣ通信コマンドが格納されているか否かを判定する。そしてもし、ＣＥＣ通信コマンドが格納されていれば（ステップＳ５１０のＹ）、ステップＳ５１１に進み、メインＣＰＵ１２は、ＲＡＭ１３に格納されたＣＥＣ通信コマンドを取得する。そして、ステップＳ５１２で、メインＣＰＵ１２は、取得したＣＥＣ通信コマンドをサブマイコン１１、ＨＤＭＩ端子８を介してビデオカメラ２００に送信して、処理終了となる（エンド）。すると、ビデオカメラ２００において、ＨＤＭＩ出力端子２４を介してサブＣＰＵ２５がＣＥＣ通信コマンドを受信しコマンドを処理し、ＣＥＣ機能が動作する。また、ステップＳ５１０で、ＲＡＭ１３にＣＥＣ通信コマンドが格納されていなければ（ステップＳ５１０のＮ）、そのまま処理終了となる（エンド）。
【００５８】
また、ステップＳ５０１で、ＨＤＭＩ機器接続確認中でなければ（ステップＳ５０１のＮ）、ステップＳ５０５に進み、メインＣＰＵ１２は、ＲＡＭ１３にＣＥＣ通信コマンドが格納されているか否かを判定する。そしてもし、ＣＥＣ通信コマンドが格納されていれば（ステップＳ５０５のＹ）、ステップＳ５０６に進み、メインＣＰＵ１２は、ＲＡＭ１３に格納されたＣＥＣ通信コマンドを取得する。そして、ステップＳ５０７で、メインＣＰＵ１２は、取得したＣＥＣ通信コマンドをサブマイコン１１、ＨＤＭＩ端子８を介してビデオカメラ２００に送信して、処理終了となる（エンド）。
【００５９】
また、ステップＳ５０５で、ＲＡＭ１３にＣＥＣ通信コマンドが格納されていなければ（ステップＳ５０５のＮ）、ステップＳ５０８に進み、メインＣＰＵ１２は、直前のステップＳ５００の押し下げられたキーに対応するＣＥＣ通信コマンドをサブマイコン１１、ＨＤＭＩ端子８を介してビデオカメラ２００に送信して、処理終了となる（エンド）。
【００６０】
このような第２実施形態によれば、ＨＤＭＩ機器接続確認中にユーザがリモコン送信機においてＣＥＣ機能を働かせるキーを押し下げると、対応するＣＥＣ通信コマンドがＲＡＭ１３に格納され、ＨＤＭＩ機器接続確認が完了すると、格納されたＣＥＣ通信コマンドがステップＳ５１２でビデオカメラ２００に送信されるので、ユーザは従来のようにＣＥＣ機能を働かせるために再度キー操作をする必要がなく、利便性が向上する。また、ステップＳ５０４のメッセージ表示により、ユーザはＣＥＣ機能の動作待ちであることを知ることができる。
【００６１】
また、ＨＤＭＩ機器接続確認中に複数回、ユーザがＣＥＣ機能を働かせるキーを押し下げた場合は、ステップＳ５０２により、最初に押し下げたキーが優先されてＣＥＣ通信コマンドがＲＡＭ１３に格納され、ＨＤＭＩ機器接続確認が完了すると、格納されたＣＥＣ通信コマンドがステップＳ５１２でビデオカメラ２００に送信される。これにより、最初にキーを押し下げた後に誤ってキーを押し下げたような場合でも、最初に押し下げたキーに対応するＣＥＣ機能が動作するので、ユーザが所望するＣＥＣ機能を動作させることができる。
【００６２】
また、ＣＥＣ通信コマンドがＲＡＭ１３に格納された後、ＨＤＭＩ機器接続確認が完了する直前にＣＥＣ機能を働かせるキーが押し下げられた場合は、ＨＤＭＩ機器接続確認が完了すると、ステップＳ５０７で、ＲＡＭ１３に格納されたＣＥＣ通信コマンドが送信される。これにより、最初にキーを押し下げた後に、ＨＤＭＩ機器接続確認が完了する直前に誤ってキーを押し下げた場合でも、最初に押し下げたキーに対応するＣＥＣ機能が動作するので、ユーザが所望するＣＥＣ機能を動作させることができる。
【００６３】
また、なんらキーを押し下げないままＨＤＭＩ機器接続確認が完了する直前に最初にＣＥＣ機能を働かせるキーを押し下げたような場合は、ステップＳ５０８で、押し下げたキーに対応するＣＥＣ通信コマンドが送信され、ユーザが所望するＣＥＣ機能を動作させることができる。
【００６４】
（第３実施形態）
次に、ＨＤＭＩ機器接続確認の際のＣＥＣ通信コマンド送信制御の第３実施形態について、図６のフローチャートを用いて説明する。
【００６５】
第１実施形態と同様にテレビ受信機１００の電源がオンとなると、メインＣＰＵ１２が起動してＨＤＭＩ機器接続確認を開始し、図６のフローチャートも開始される。
【００６６】
まず、ステップＳ６００で、メインＣＰＵ１２は、不図示のリモコン送信機においてＣＥＣ機能を働かせるキーが押し下げられたか否かを判定する。そしてもし、ＣＥＣ機能を働かせるキーが押し下げられたと判定されると（ステップＳ６００のＹ）、ステップＳ６０１に進み、メインＣＰＵ１２は、ＨＤＭＩ機器接続確認中であるか否かを判定する。そして、ＨＤＭＩ機器接続確認中であれば（ステップＳ６０１のＹ）、ステップＳ６０２に進み、メインＣＰＵ１２は、ステップＳ６００の押し下げられたキーに対応するＣＥＣ通信コマンドをキューバッファであるＲＡＭ１３に格納する。それから、ステップＳ６０３で、メインＣＰＵ１２の制御によりＯＳＤ部１４が映像信号を生成してディスプレイ６に出力し、ＨＤＭＩ接続完了後にＣＥＣ機能を働かせる旨のメッセージがディスプレイ６に表示される。そして、ステップＳ６００に戻る。
【００６７】
再度、ステップＳ６００で、ＣＥＣ機能を働かせるキーが押し下げられたと判定され（ステップＳ６００のＹ）、ステップＳ６０１で、ＨＤＭＩ機器接続確認中であれば（ステップＳ６０１のＹ）、ステップＳ６０２で、メインＣＰＵ１２は、ステップＳ６００の新たに押し下げられたキーに対応するＣＥＣ通信コマンドをＲＡＭ１３に追加して格納する。以降、ステップＳ６０２に進めば、同様にＣＥＣ通信コマンドをＲＡＭ１３に追加して格納する。
【００６８】
また、ステップＳ６００で、ＣＥＣ機能を働かせるキーが押し下げられていないと判定されると（ステップＳ６００のＮ）、ステップＳ６０７に進み、メインＣＰＵ１２は、ＨＤＭＩ機器接続確認中であるか否かを判定する。そして、ＨＤＭＩ機器接続確認中であれば（ステップＳ６０７のＹ）、ステップＳ６００に戻る。
【００６９】
一方、ＨＤＭＩ機器接続確認中でなければ（ステップＳ６０７のＮ）、ステップＳ６０８に進み、メインＣＰＵ１２は、ＲＡＭ１３にＣＥＣ通信コマンドが格納されているか否かを判定する。そしてもし、ＣＥＣ通信コマンドが格納されていれば（ステップＳ６０８のＹ）、ステップＳ６０９に進む。ここで、メインＣＰＵ１２は、ＲＡＭ１３に格納されたＣＥＣ通信コマンドを取得し、取得したＣＥＣ通信コマンドをサブマイコン１１、ＨＤＭＩ端子８を介してビデオカメラ２００に送信する。もし、ＲＡＭ１３に格納されたＣＥＣ通信コマンドが複数であれば、格納された順に取得および送信を行う。すると、ビデオカメラ２００において、ＨＤＭＩ出力端子２４を介してサブＣＰＵ２５がＣＥＣ通信コマンドを受信しコマンドを処理し、ＣＥＣ機能が動作する。ステップＳ６０９の後、処理終了となる（エンド）。
【００７０】
また、ステップＳ６０８で、ＲＡＭ１３にＣＥＣ通信コマンドが格納されていなければ（ステップＳ６０８のＮ）、そのまま処理終了となる（エンド）。
【００７１】
また、ステップＳ６０１で、ＨＤＭＩ機器接続確認中でなければ（ステップＳ６０１のＮ）、ステップＳ６０４に進み、メインＣＰＵ１２は、ＲＡＭ１３にＣＥＣ通信コマンドが格納されているか否かを判定する。そしてもし、ＣＥＣ通信コマンドが格納されていれば（ステップＳ６０４のＹ）、ステップＳ６０５に進む。ここで、メインＣＰＵ１２は、ＲＡＭ１３に格納されたＣＥＣ通信コマンドを取得し、取得したＣＥＣ通信コマンドをサブマイコン１１、ＨＤＭＩ端子８を介してビデオカメラ２００に送信する。もし、ＲＡＭ１３に格納されたＣＥＣ通信コマンドが複数であれば、格納された順に取得および送信を行う。そして、ステップＳ６０６に進み、メインＣＰＵ１２は、直前のステップＳ６００の押し下げられたキーに対応するＣＥＣ通信コマンドをサブマイコン１１、ＨＤＭＩ端子８を介してビデオカメラ２００に送信して、処理終了となる（エンド）。
【００７２】
また、ステップＳ６０４で、ＲＡＭ１３にＣＥＣ通信コマンドが格納されていなければ（ステップＳ６０４のＮ）、ステップＳ６０６に進み、メインＣＰＵ１２は、直前のステップＳ６００の押し下げられたキーに対応するＣＥＣ通信コマンドをサブマイコン１１、ＨＤＭＩ端子８を介してビデオカメラ２００に送信して、処理終了となる（エンド）。
【００７３】
このような第３実施形態によれば、ＨＤＭＩ機器接続確認中にユーザがリモコン送信機においてＣＥＣ機能を働かせるキーを押し下げると、対応するＣＥＣ通信コマンドがＲＡＭ１３に格納され、ＨＤＭＩ機器接続確認が完了すると、格納されたＣＥＣ通信コマンドがステップＳ６０９でビデオカメラ２００に送信されるので、ユーザは従来のようにＣＥＣ機能を働かせるために再度キー操作をする必要がなく、利便性が向上する。また、ステップＳ６０３のメッセージ表示により、ユーザはＣＥＣ機能の動作待ちであることを知ることができる。
【００７４】
また、ＨＤＭＩ機器接続確認中に複数回、ユーザがＣＥＣ機能を働かせるキーを押し下げた場合は、ステップＳ６０２により、押し下げたキーに対応するＣＥＣ通信コマンドがＲＡＭ１３に蓄積されて格納され、ＨＤＭＩ機器接続確認が完了すると、蓄積されたＣＥＣ通信コマンドがステップＳ６０９で格納順にビデオカメラ２００に送信される。これにより、ユーザが押し下げたキーに対応するＣＥＣ機能を順次動作させることができる。
【００７５】
また、ユーザがＣＥＣ機能を働かせるキーを押し下げ、ＣＥＣ通信コマンドがＲＡＭ１３に格納された後、ＨＤＭＩ機器接続確認が完了する直前にＣＥＣ機能を働かせるキーが押し下げられた場合は、ＨＤＭＩ機器接続確認が完了すると、ステップＳ６０５で、ＲＡＭ１３に格納されたＣＥＣ通信コマンドが送信された後、ステップＳ６０６で、ＨＤＭＩ機器接続確認が完了する直前に押し下げたキーに対応するＣＥＣ通信コマンドが送信される。これにより、最初にキーを押し下げた後に、ＨＤＭＩ機器接続確認が完了する直前にキーを押し下げた場合でも、両方のキーに対応するＣＥＣ機能を順次動作させることができる。
【００７６】
また、なんらキーを押し下げないままＨＤＭＩ機器接続確認が完了する直前に最初にＣＥＣ機能を働かせるキーを押し下げたような場合は、ステップＳ６０６で、押し下げたキーに対応するＣＥＣ通信コマンドが送信され、ユーザが所望するＣＥＣ機能を動作させることができる。
【００７７】
以上、ＨＤＭＩ機器接続確認の際のＣＥＣ通信コマンド送信制御の第１実施形態〜第３実施形態を説明したが、これらの少なくとも２つをユーザが選択できるようにしてもよい。例えば、ＯＳＤ部１４によりディスプレイ６に表示された設定画面において第１実施形態〜第３実施形態に対応する各項目の中から１つを不図示のリモコン送信機により選択し、リモコン送信機により決定すると、選択された実施形態の設定が不図示の設定用メモリに書き込まれ、以降、テレビ受信機１００の電源をオンとする毎に選択された実施形態の処理が行われるようにすればよい。
【００７８】
以上、本発明に係る実施形態について説明したが、これはあくまで例示であり、本発明の趣旨を逸脱しない範囲での様々な変更が可能である。
【符号の説明】
【００７９】
１００  テレビ受信機
２００  ビデオカメラ
３００  ビデオカメラ本体
４００  電源クレードル
４００ａ  スタンド
４００ｂ  ＡＣアダプタ
４００ｃ  ＡＣプラグ
５００  ＨＤＭＩケーブル
【図１】
2010193121.tif 000003
【図２】
2010193121.tif 000004
【図３】
2010193121.tif 000005
【図４】
2010193121.tif 000006
【図５】
2010193121.tif 000007
【図６】
2010193121.tif 000008